(57)【特許請求の範囲】
【請求項１】
電気機器で発生させられた気流の一部を取り込んでイオンとともに外部へ吹き出すイオン発生装置であって、
前記電気機器の空気の通過経路内に設置するのに可能な筐体と、
前記筐体内に設けられた少なくとも１つのイオン発生電極部と、
前記筐体内に設けられた送風ファンとを備え、
前記送風ファンは、前記電気機器で発生させられた気流を前記少なくとも１つのイオン発生電極部の少なくとも１つへ送風するように配置されている、イオン発生装置。
【請求項２】
前記少なくとも１つのイオン発生電極部は、
一直線状に延びる針状電極を有する第１のイオン発生電極部と、
屈曲した針状電極を有する第２のイオン発生電極部とを含む、請求項１に記載のイオン発生装置。
【請求項３】
前記送風ファンは前記第２のイオン発生電極部へ送風するように配置されている、請求項２に記載のイオン発生装置。
【請求項４】
電気機器で発生させられた気流の一部を取り込んでイオンとともに外部へ吹き出すイオン発生装置であって、
前記電気機器の空気の通過経路内に設置するのに可能な筐体と、
前記筐体内に設けられた少なくとも１つのイオン発生電極部と、
前記筐体内に設けられた送風ファンとを備え、
前記少なくとも１つのイオン発生電極部は正イオン発生電極部および負イオン発生電極部を含み、
前記送風ファンは、前記電気機器で発生させられた気流を前記正イオン発生電極部および前記負イオン発生電極部のそれぞれから放出された正イオンおよび負イオンの間へ送風するように配置されている、イオン発生装置。
【請求項５】
前記筐体内に設けられた、前記イオン発生電極部へ電圧を印加するための高電圧発生回路をさらに備える、請求項１または４に記載のイオン発生装置。
【請求項６】
前記送風ファンの厚さは、前記高電圧発生回路の厚さ以下である、請求項５に記載のイオン発生装置。
【請求項７】
少なくとも一部が前記筐体内に設けられた、前記高電圧発生回路へ電源を供給するための入力コネクタをさらに備える、請求項５に記載のイオン発生装置。
【請求項８】
請求項１〜７のいずれか１項に記載のイオン発生装置と、
前記イオン発生装置へ送られる気流を発生させる送風部とを備える、電気機器。
【発明の詳細な説明】
【技術分野】
【０００１】
本発明は、イオン発生装置およびそれを備えた電気機器に関するものである。
【背景技術】
【０００２】
放電現象を利用した多くのイオン発生装置が実用化されている。これらのイオン発生装置は通常、イオンを発生させるためのイオン発生素子と、イオン発生素子に高電圧を供給するための高圧トランスを含む電源部と、コネクタなどの電源入力部とにより構成されている。
【０００３】
このイオン発生素子は放電現象によってイオンを発生させるものである。放電現象は、放電電極の先端に電界を集中させることによって空気を絶縁破壊させることで生じる。イオン発生素子で実用化されているものの一例としては、金属線、鋭角部を持った金属板、針形状の金属などを放電電極とし、大地電位の金属板やグリッドなどを誘導電極（対向電極）としたものがある。この方式のイオン発生素子として、たとえば特開平１０−１９９６５３号公報（特許文献１）に開示されたものがある。また別の例として、誘導電極を特に配置しないイオン発生素子もある。この方式のイオン発生素子としては、たとえば特開２００２−３７４６７０号公報（特許文献２）に開示されたものがある。イオン発生素子によって発生したイオンは、たとえば特開平８−２５５６６８号公報（特許文献３）に開示されているように、一般に、送風ファンによる気流に乗せて外部へ放出される。
【０００４】
この気流とイオンの発生量との間には相関があることが指摘されている。たとえば、実公昭４２−１３３４３号公報によれば、負イオン発生装置において、負イオン発生電極間を流通する気流の風量（単位時間当たりに通過する気流の体積）の増大とともに、負イオンの発生量が増大することが開示されている。
【先行技術文献】
【特許文献】
【０００５】
【特許文献１】特開平１０−１９９６５３号公報
【特許文献２】特開２００２−３７４６７０号公報
【特許文献３】特開平８−２５５６６８号公報
【特許文献４】実公昭４２−１３３４３号公報
【発明の概要】
【発明が解決しようとする課題】
【０００６】
上述したように、気流の風量が大きくされればイオンの発生量も大きくなるのでイオンの発生効率を高めることができる。しかしながら、イオン発生装置を搭載した電気機器の風量が大きくされると、電気機器の消費電力および騒音も大きくなってしまう。また電気機器の風量は、イオン発生の効率とは別の理由で決定される場合が多い。たとえば、電気機器が空気調和機である場合、その風量は、通常、暖房能力または冷房能力の調整の観点で決定される。また小型の電気機器には大型のファンを搭載することが困難であり、よって発生可能な風量の大きさには限度がある。
【０００７】
本発明は、上記の課題に鑑みてなされたものであり、その目的は、イオン発生装置が搭載される電気機器の風量に大きく依存することなく高い効率でイオンを供給することができるイオン発生装置と、それを備えた電気機器とを提供することである。
【課題を解決するための手段】
【０００８】
本発明のイオン発生装置は、電気機器で発生させられた気流の一部を取り込んでイオンとともに外部へ吹き出すイオン発生装置であって、電気機器の空気の通過経路内に設置するのに可能な筐体と、筐体内に設けられた少なくとも１つのイオン発生電極部と、筐体内に設けられた送風ファンとを有する。
【０００９】
この装置によれば、イオン発生装置自身が独立した送風ファンを有する。この送風ファンによってイオン発生に適した送風を行うことにより、イオン発生装置が搭載される電気機器の風量に大きく依存することなく高い効率でイオンを供給することができる。
【００１０】
本発明の一の局面において、送風ファンは、少なくとも１つのイオン発生電極部の少なくとも１つへ送風するように配置されている。
【００１１】
これにより、電気機器の風量とは独立して、イオン発生電極部に高速の気流を吹き付けることができる。よってイオン発生装置が搭載される電気機器の風量に大きく依存することなく高い効率でイオンを供給することができる。
【００１２】
上記一の局面において好ましくは、少なくとも１つのイオン発生電極部は第１および第２のイオン発生電極部を含む。第１のイオン発生電極部は、一直線状に延びる針状電極を有する。第２のイオン発生電極部は、屈曲した針状電極を有する。
【００１３】
これにより、第１および第２のイオン発生電極部の各々のイオンの放出方向は互いに異なる。よって、第１および第２のイオン発生電極部の各々からのイオンが放出直後に互いに結合してしまうことを抑制することができる。これにより実効的なイオン発生量を高めることができる。
【００１４】
より好ましくは、送風ファンは第２のイオン発生電極部へ送風するように配置されている。
【００１５】
これにより、一直線状に延びる針状電極ではなく屈曲した針状電極を用いることによるイオン発生効率の低下を補うことができる。
【００１６】
本発明の他の局面において、少なくとも１つのイオン発生電極部は正イオン発生電極部および負イオン発生電極部を含む。送風ファンは、電気機器で発生させられた気流を正イオン発生電極部および負イオン発生電極部のそれぞれから放出された正イオンおよび負イオンの間へ送風するように配置されている。
【００１７】
これにより、正イオンおよび負イオンの間を高速の気流によって遮ることができるので、正イオンおよび負イオンが放出直後に互いに結合してしまうことを抑制することができる。これにより実効的なイオン発生量を高めることができる。
【００１８】
本発明のイオン発生装置は、好ましくは、筐体内に設けられた、イオン発生電極部へ電圧を印加するための高電圧発生回路を有する。これにより、高電圧発生回路が筐体外に設けられる場合に比して、イオン発生装置を小型化することができる。
【００１９】
好ましくは送風ファンの厚さは、高電圧発生回路の厚さ以下である。これにより、より厚い送風ファンが設けられる場合に比して、イオン発生装置を小型化することができる。
【００２０】
好ましくはイオン発生装置は、少なくとも一部が筐体内に設けられた、高電圧発生回路へ電源を供給するための入力コネクタを有する。これにより、入力コネクタが筐体外に設けられる場合に比して、イオン発生装置を小型化することができる。
【００２１】
本発明の電気機器は、上記のいずれかに記載のイオン発生装置と、イオン発生装置へ送られる気流を発生させる送風部とを有する。
【００２２】
この電気機器によれば、電気機器の送風部とは別に、イオン発生装置自身が独立した送風ファンを有する。この送風ファンによってイオン発生に適した送風を行うことにより、電気機器の風量に大きく依存することなく高い効率でイオンを供給することができる。
【発明の効果】
【００２３】
以上に説明したように本発明のイオン発生装置および電気機器によれば、イオン発生装置が搭載される電気機器の風量に大きく依存することなく高い効率でイオンを供給することができる。
【図面の簡単な説明】
【００２４】
【図１】本発明の実施の形態１におけるイオン発生装置の概略的な平面図である。
【図２】図１の線ＩＩ−ＩＩに沿う概略断面図である。
【図３】図１のイオン発生装置の機能ブロック図である。
【図４】図１のイオン発生装置が有するイオン発生電極部を概略的に示す斜視図である。
【図５】本発明の実施の形態２におけるイオン発生装置の概略的な平面図である。
【図６】図５の線ＶＩ−ＶＩに沿う概略断面図である。
【図７】図５の線ＶＩＩ−ＶＩＩに沿う概略断面図である。
【図８】図５のイオン発生装置の機能ブロック図である。
【図９】本発明の実施の形態３におけるイオン発生装置の概略的な平面図である。
【図１０】図９の線Ｘ−Ｘに沿う概略断面図である。
【図１１】本発明の実施の形態４における電気機器としての空気清浄機の概略的な斜視図である。
【図１２】図１１の内部構造を背面側から概略的に示す図である。
【発明を実施するための形態】
【００２５】
以下、本発明の実施の形態について図に基づいて説明する。
（実施の形態１）
主に図１および図２を参照して、本実施の形態のイオン発生装置５１は、気流を発生させることができる電気機器（たとえば、後述する実施の形態４の空気清浄機６０）に付加されることによって、この気流中へイオンを供給するものである。具体的には、イオン発生装置５１は、イオン発生装置５１の外部で発生させられた気流がイオン発生装置５１の上面に沿って流れるように、電気機器に取り付けられる。
【００２６】
イオン発生装置５１は、外装ケース１１（筐体）と、外装ケース１１内に設けられた複数の部材とを有する。この複数の部材は外装ケース１１によって一体化されている。具体的にはこの複数の部材は、正イオン発生電極部３１（図４）、負イオン発生電極部４１、送風ファン９、電源入力コネクタ１０、および電源部２を有する。また外装ケース１１は、イオン発生電極部３１、４１および送風ファン９の各々の上面において開放されている。
【００２７】
送風ファン９は、正イオン発生電極部３１および負イオン発生電極部４１へ送風するように配置されており、具体的には、正イオン発生電極部３１および負イオン発生電極部４１の各々の上流側に配置されている。送風ファン９は、イオン発生装置５１の外部で発生させられた気流（矢印ＢＡおよびＢＦ）の一部（矢印ＢＦ）を取り込んだ後に、正イオン発生電極部３１または負イオン発生電極部４１に当てることができるように配置されている。正イオン発生電極部３１または負イオン発生電極部４１に当たる気流の速度は、送風ファン９の作用によって大きくされている。つまり、送風ファン９を通らずに外装ケース１１内または外装ケース１１近傍を通る気流の速度に比して、送風ファン９を通って正イオン発生電極部３１または負イオン発生電極部４１に当てられる気流の速度はより大きい。
【００２８】
図３を参照して、電源部２は、正イオン発生電極部３１および負イオン発生電極部４１のそれぞれへ正電圧および負電圧を印加するためのものである。この目的で電源部２は、駆動回路２１と、高圧トランス２２（高電圧発生回路）と、ダイオード２３ｐ（正の高圧回路）と、ダイオード２３ｎ（負の高圧回路）とを有する。また電源部２には電源入力コネクタ１０が電気的に接続されている。
【００２９】
電源入力コネクタ１０は、一部が外装ケース１１内に配置されており、他部が外装ケース１１の外部に露出しており、外部からの電源をコネクタ接続できる構造となっている。外部からの電源は、たとえば、商用交流電源、またはイオン発生装置５１が取り付けられる電気機器の電源回路部である。
【００３０】
駆動回路２１は、入力側が電源入力コネクタ１０に電気的に接続されており、出力側が高圧トランス２２の一次側に電気的に接続されている。高圧トランス２２は、一次側に入力された電圧を昇圧して二次側に出力するためのものである。高圧トランス２２の二次側の一方は、ダイオード２３ｐを通じて正イオン発生電極部３１の放電電極６に電気的に接続されるとともに、ダイオード２３ｎを通じて負イオン発生電極部４１の放電電極６に電気的に接続されている。また高圧トランス２２の二次側の他方は、正イオン発生電極部３１および負イオン発生電極部４１の各々の誘導電極７に電気的に接続されている。
【００３１】
ダイオード２３ｐの極性は正イオン発生電極部３１の放電電極６に正電圧が印加されるように選択されており、またダイオード２３ｎの極性は負イオン発生電極部４１の放電電極６に負電圧が印加されるように選択されている。これにより、正イオン発生電極部３１では正イオンを、負イオン発生電極部４１では負イオンを発生させることができる。つまり２極性のイオンを発生させることができる。
【００３２】
なお放電電極６に印加する電圧の大きさは、コロナ放電によるイオン生成において、所望のイオン種が効率的に生成されるように選択され得る。また電圧波形としては様々なものを用いることができ、たとえば直流波形、正負にバイアスされた交流波形、または正負にバイアスされたパルス波形などを用いることができる。
【００３３】
なお好ましくは、高圧トランス２２は、電気的な絶縁性を確保するために樹脂モールドされている。
【００３４】
図４を参照して、正イオン発生電極部３１および負イオン発生電極部４１の各々は、支持基板５と、放電電極６と、誘導電極７とを有する。支持基板５は放電電極６および誘導電極７を支持している。放電電極６は、針状の形状を有し、支持基板５に垂直な方向に延在している。誘導電極７は、たとえば板金によって形成されており、また穴が設けられている。この穴の中心に放電電極６が配置されている。
【００３５】
なお好ましくは、支持基板５の裏面側は、電気的な絶縁性を確保するために樹脂モールドされている。
【００３６】
本実施の形態によれば、イオン発生装置５１はイオン発生装置５１の外部で発生させられた気流を受けるものであって、かつイオン発生装置５１自体が独立した送風ファン９を有する。この送風ファン９によってイオン発生に適した送風を行うことにより、イオン発生装置５１が搭載される電気機器（たとえば後述する実施の形態４の空気清浄機）の風量に大きく依存することなく高い効率でイオンを供給することができる。
【００３７】
具体的には、送風ファン９は、イオン発生電極部、すなわち正イオン発生電極部３１および負イオン発生電極部４１へ送風するように配置されている。これにより、電気機器の風量とは独立して、イオン発生電極部に高速の気流を吹き付けることができる。これにより、発生したイオンがイオン発生電極部から早期に離脱するので、イオン発生電極部の近傍におけるイオンの中和または再結合の発生を抑えることができる。よってイオン発生装置５１の実効的なイオン発生量を高めることができる。以上のように本実施の形態によれば、イオン発生装置５１が搭載される電気機器の風量に大きく依存することなく高い効率でイオンを供給することができる。
【００３８】
また送風ファン９はイオン発生装置５１の外部で発生させられた気流の一部のみを取り込んでおり、外部で発生させられた気流の大部分は送風ファン９を通らずに流れる。よって送風ファン９を設けることに起因する通風抵抗の増大はほとんど問題にならない。
【００３９】
また高圧トランス２２（図３）は外装ケース１１内に設けられる。これにより、高圧トランスが外装ケース外に設けられる場合に比して、イオン発生装置を小型化することができる。
【００４０】
また送風ファン９の厚さは高圧トランス２２の厚さ以下である。これにより、より厚い送風ファンが設けられる場合に比して、イオン発生装置を小型化することができる。
【００４１】
またイオン発生装置５１は、一部が外装ケース１１内に設けられた、高圧トランス２２へ電源を供給するための電源入力コネクタ１０を有する。これにより、電源入力コネクタが外装ケース外に設けられる場合に比して、イオン発生装置を小型化することができる。
【００４２】
またイオン発生装置５１は、図２に示すように、外部で発生させられた気流（矢印ＢＡ）がイオン発生装置５１の上面に沿って流れるように電気機器に取り付けられる。これにより、イオンがこの気流に取り込まれ、そしてこの気流に乗って電気機器の外部へと送出される。よって、発生したイオンを迅速に電気機器の外部に送出することができる。
【００４３】
なお上述した正イオンは、たとえば、水素イオン（Ｈ+）の周囲に複数の水分子が付随したクラスターイオンであり、Ｈ+（Ｈ2Ｏ）m（ｍは自然数）として表される。また負イオンは、たとえば、酸素イオン（Ｏ2-）の周囲に複数の水分子が付随したクラスターイオンであり、Ｏ2-（Ｈ2Ｏ）n（ｎは自然数）として表される。また、空気中の正イオンであるＨ+（Ｈ2Ｏ）m（ｍは自然数）と、負イオンであるＯ2-（Ｈ2Ｏ）n（ｎは自然数）とを略同等量発生させることにより、両イオンが空気中を浮遊するカビ菌やウィルスの周りを取り囲み、その際に生成される活性種の水酸化ラジカル（・ＯＨ）の作用により、浮遊カビ菌などを分解することが可能となる。
【００４４】
（実施の形態２）
図５〜図７を参照して、本実施の形態のイオン発生装置５２は、正イオン発生電極部３２および負イオン発生電極部４２と、外装ケース１２とを有する。
【００４５】
正イオン発生電極部３２は第１および第２のイオン発生電極部３２ａ、３２ｂを有し、負イオン発生電極部４２は第１および第２のイオン発生電極部４２ａ、４２ｂを有する。第１のイオン発生電極部３２ａおよび４２ａの各々は、実施の形態１におけるイオン発生電極部とおおよそ同様の構成を有する。
【００４６】
第２のイオン発生電極部３２ｂおよび４２ｂの各々は、放電電極６ｂと、誘導電極７ａおよび７ｂとを有する。放電電極６ｂは、支持基板５につながる部分、つまり根元部分と、放電が行われる部分である先端部分とを有する。放電電極６ｂは、この根元部分と先端部分との間で屈曲している。具体的には、根元部分は支持基板５に垂直に延在しており、先端部分は支持基板５に平行であって、かつその先端が向かう方向が気流の方向（図７における左方向）とほぼ同じになるように延在している。
【００４７】
送風ファン９は、第２のイオン発生電極部３２ｂおよび４２ｂの上流側（図５および図７における右側）に配置されている。また外装ケース１２は、図７に示すように、第２のイオン発生電極部３２ｂおよび４２ｂの各々と、送風ファン９との間が通風可能となるように構成されている。この構成により、送風ファン９は第２のイオン発生電極部３２ｂおよび４２ｂへ送風することができる。
【００４８】
外装ケース１２の上面（図５が示す面）は、第１のイオン発生電極部３２ａおよび４２ａの各々の放電電極６の位置に対応する位置に穴ＯＰを有する。つまり穴ＯＰの各々は、外装ケース１２の上面から見て、放電電極６を露出しており、誘導電極７を覆っている。また外装ケース１２の背面（図５および図７の各々において外装ケース１２の左端に対応する面）は、放電電極６ｂの下流側（放電電極６ｂの先端が向かう方向の側）に開口ＯＱを有する。また外装ケース１２の上面は各放電電極６ｂを覆っている。また外装ケース１２は、第１および第２のイオン発生電極部３２ａ、３２ｂの間を隔離しており、また第１および第２のイオン発生電極部４２ａ、４２ｂの間を隔離している。
【００４９】
上記構成により、第１のイオン発生電極部３２ａおよび４２ａにより発生したイオンは、外装ケース１２の上面に形成された穴ＯＰを通じてイオン発生装置５２の上面から放出され、イオン発生装置５２の外部で発生させられた気流ＢＡ（図６）に乗って運ばれる。また第２のイオン発生電極部３２ｂおよび４２ｂにより発生したイオンは、外装ケース１２の背面に形成された開口ＯＱを通じて、イオン発生装置５２の背面から放出され、やがてイオン発生装置５２の外部で発生させられた気流ＢＡ（図６）と合流する。
【００５０】
図８を参照して、高圧トランス２２の二次側の一方は、ダイオード２３ｐを通じて正イオン発生電極部３２の放電電極６および６ｂに電気的に接続されるとともに、ダイオード２３ｎを通じて負イオン発生電極部４２の放電電極６および６ｂに電気的に接続されている。また高圧トランス２２の二次側の他方は、正イオン発生電極部３２および負イオン発生電極部４２の誘導電極７、７ａおよび７ｂに電気的に接続されている。
【００５１】
なお、上記以外の構成については、上述した実施の形態１の構成とほぼ同じであるため、同一または対応する要素について同一の符号を付し、その説明を繰り返さない。
【００５２】
本実施の形態によれば、第１のイオン発生電極部３２ａおよび４２ａのイオンの放出方向と、第２のイオン発生電極部３２ｂおよび４２ｂのイオンの放出方向とは互いに異なる。よって、第１および第２のイオン発生電極部の各々からのイオンが互いに結合してしまうことを抑制することができる。これにより実効的なイオン発生量を高めることができる。
【００５３】
また第２のイオン発生電極部３２ｂおよび４２ｂへ送風するように送風ファン９が配置されている。これにより、一直線状に延びる放電電極６ではなく屈曲した放電電極６ｂを用いることによるイオン発生効率の低下を補うことができる。
【００５４】
（実施の形態３）
図９および図１０を参照して、本実施の形態のイオン発生装置５３において、正イオン発生電極部３１は、イオン発生装置５３の外部で発生させられた気流（矢印ＣＰ）を受けて正イオンを放出するものであり、また負イオン発生電極部４１は、イオン発生装置５３の外部で発生させられた気流（矢印ＣＮ）を受けて負イオンを放出するものである。つまり、図９の矢印ＣＰおよびＣＮのそれぞれに示すように、イオン発生装置５３から正イオンおよび負イオンが放出される。
【００５５】
送風ファン９は、上記のように放出された正イオンおよび負イオンの間へ送風（図中矢印ＣＡ）するように配置されている。この送風による気流（矢印ＣＡ）の速度は、送風ファン９の作用にともない、イオン発生装置５３の外部で発生させられた気流が送風ファン９を経由せずに正イオン発生電極部３１または負イオン発生電極部４１近傍を流れる速度に比して大きい。
【００５６】
外装ケース１３の上面（図９が示す面）は、正イオン発生電極部３１および負イオン発生電極部４１の各々の放電電極６の位置に対応する位置に穴ＯＰを有する。つまり穴ＯＰの各々は、外装ケース１３の上面から見て、放電電極６を露出しており、誘導電極７を覆っている。
【００５７】
なお、上記以外の構成については、上述した実施の形態１または２の構成とほぼ同じであるため、同一または対応する要素について同一の符号を付し、その説明を繰り返さない。
【００５８】
本実施の形態によれば、イオン発生装置５３から放出された直後の正イオンおよび負イオンの間が、送風ファン９によって発生させられた高速の気流（矢印ＣＡ）によって遮られる。これにより、放出直後の正イオンと負イオンとの結合にともなうイオン濃度の低下を抑制することができる。よってイオン発生装置５３の実効的なイオン発生量を高めることができる。
【００５９】
（実施の形態４）
主に図１１および図１２を参照して、空気清浄機６０（電気機器）は、イオン発生装置５１（図１）と、本体６２と、前面パネル６１とを有する。本体６２は、メインファン６９（送風部）と、ファン用ケーシング６５と、吹き出し口６３とを有する。吹き出し口６３は本体６２の後方上部に設けられており、この吹き出し口６３からイオンを含む清浄な空気が室内に供給される。
【００６０】
メインファン６９は、本体６２のほぼ中心に取り付けられており、空気取り入れ口から取り込んだ空気をファン用ケーシング６５に沿って送風する。空気清浄機６０に取り込まれた空気は、図示しないフィルターを通過することで清浄化される。清浄化された空気は、ファン用ケーシング６５を通じて、吹き出し口６３から外部へ供給される。
【００６１】
清浄化された空気の通過経路を形成するファン用ケーシング６５の一部に、イオン発生装置５１（図１）が取り付けられている。よってイオン発生装置５１へ、メインファン６９により発生させられた気流が送られる。
【００６２】
本実施の形態によれば、空気清浄機６０のメインファン６９とは別に、イオン発生装置５１自身が独立した送風ファン９（図１）を有する。この送風ファン９によってイオン発生に適した送風を行うことにより、空気清浄機６０の風量に大きく依存することなく高い効率でイオンを供給することができる。
【００６３】
以下に、上記作用効果の具体例を挙げる。
空気清浄機６０の吹き出し口６３から吹き出される気流の風量は、メインファン６９の回転数によって調整され得る。低い回転数が選択された場合、メインファン６９によって発生させられた気流がイオン発生装置５１に当たる際の速度が小さくなる。このような場合であっても、イオン発生装置５１自身の送風ファン９が高速の気流を局所的に発生させることで、高い効率でイオンを供給することができる。
【００６４】
なお本実施の形態においてはイオン発生装置５１（図１）が用いられているが、代わりにイオン発生装置５２（図５）または５３（図９）が用いられてもよい。また電気機器の一例として空気清浄機について説明したが、電気機器は、これ以外に空気調和機（エアコンディショナー）、冷蔵機器、掃除機、加湿器、除湿機などであってもよく、イオン発生装置から放出されたイオンを気流に乗せて送るための送風部を有する電気機器であればよい。
【００６５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００６６】
本発明は、イオン発生装置およびそのイオン発生装置を備えた電気機器に特に有利に適用され得る。
【符号の説明】
【００６７】
２  電源部、５  支持基板、６，６ｂ  放電電極、７，７ａ，７ｂ  誘導電極、９  送風ファン、１０  電源入力コネクタ、１１〜１３  外装ケース（筐体）、２１  駆動回路、２２  高圧トランス（高電圧発生回路）、２３ｎ，２３ｐ  ダイオード、３１，３２  正イオン発生電極部、３２ａ，４２ａ  第１のイオン発生電極部、３２ｂ，４２ｂ  第２のイオン発生電極部、４１，４２  負イオン発生電極部、５１〜５３  イオン発生装置、６０  空気清浄機（電気機器）、６９  メインファン。
【図１】
0005484259.tif 000002
【図２】
0005484259.tif 000003
【図３】
0005484259.tif 000004
【図４】
0005484259.tif 000005
【図５】
0005484259.tif 000006
【図６】
0005484259.tif 000007
【図７】
0005484259.tif 000008
【図８】
0005484259.tif 000009
【図９】
0005484259.tif 000010
【図１０】
0005484259.tif 000011
【図１１】
0005484259.tif 000012
【図１２】
0005484259.tif 000013